(57)【特許請求の範囲】
【請求項１】
断熱製の貯蔵庫本体に設けられた前面開口部には、左右一対の断熱扉が観音開き式の揺動開閉可能に設けられ、
前記各断熱扉の裏面における揺動支点側の側縁から上下両側縁に亘って、閉扉時に前記前面開口部に密着するパッキンが、前記断熱扉の裏面から突出する形で配設されているとともに、前記各断熱扉の相手側と対向した側面の庫内側の角部付近には、閉扉時において互いに密着可能なセンタシールが、前記側面に固定される上下方向に延びた保持部材を介して全高に亘って配設され、
かつ、前記センタシールの内部、若しくは前記センタシールと同センタシールに隣接して配された隣接部材との間に、周りが閉じられた隙間が、前記断熱扉の裏面側において上下方向に貫通した形態で形成されるようになっており、
前記隙間の端部の開口を覆うように、前記断熱扉における揺動端側の上下両端部の少なくともいずれか一方に装着される合成樹脂製のキャップを備え、
前記キャップは、前記断熱扉における揺動端側の前記上下両端部の少なくともいずれか一方に対して、覆う形で装着される高剛性部からなる基部と、前記隙間の前記端部の前記開口を覆いつつ、閉扉時に前記断熱扉が静止した状態において前記前面開口部と当たらないように前記基部から前記貯蔵庫本体の前記前面開口部側に向かって前記パッキンよりも突出しない形で前記パッキンの突出面付近まで張り出した低剛性部からなる縁部とを有する冷却貯蔵庫の扉装置。
【請求項２】
前記基部は、前記断熱扉における揺動端側の前記上下両端部に対して、係止する係止部を有し、
前記縁部は、前記係止部よりも一段下がった段差状に形成される請求項１に記載の冷却貯蔵庫の扉装置。
【請求項３】
前記キャップの前記低剛性部と前記高剛性部とは、それぞれ軟質樹脂と硬質樹脂とを素材とし、二色成形により一体成形されていることを特徴とする請求項１又は請求項２に記載の冷却貯蔵庫の扉装置。
【請求項４】
前記キャップの前記低剛性部と前記高剛性部とは、それぞれ軟質樹脂材と硬質樹脂材とにより予め別体に形成され、前記低剛性部と前記高剛性部とは結合手段を介して一体結合されていることを特徴とする請求項１又は請求項２に記載の冷却貯蔵庫の扉装置。
【請求項５】
前記キャップは一の合成樹脂材により形成され、薄肉とすることで前記低剛性部が、厚肉とすることで前記高剛性部がそれぞれ形成されていることを特徴とする請求項１又は請求項２に記載の冷却貯蔵庫の扉装置。
【発明の詳細な説明】
【技術分野】
【０００１】
本発明は、ワイドスルー形式の冷却貯蔵庫の扉装置に関する。
【背景技術】
【０００２】
この種の冷却貯蔵庫の扉装置の一例として下記特許文献１に記載のものが知られている。このものは、貯蔵庫本体の前面開口部に左右一対の断熱扉が観音開き式の揺動開閉可能に設けられ、各断熱扉の裏面における揺動支点側の側縁から上下両側縁に亘ってパッキンが配設されているとともに、前記各断熱扉の相手側と対向した側面の庫内側の角部付近に、閉扉時において互いに密着可能な筒状をなすセンタシールが保持部材を介して全高に亘って配設された構造である。そして、保持部材の上下両端部には、センタシールの上下の端面をそれぞれ覆うべく合成樹脂製のキャップが装着されるようになっている。
【先行技術文献】
【特許文献】
【０００３】
【特許文献１】特開平１１−２９４９３８号公報
【発明の概要】
【発明が解決しようとする課題】
【０００４】
ところで、上記のような筒状をなすセンタシールでは、例えば当該冷却貯蔵庫の稼働中において、上端の開口面から食材の滓や汚物等が入るおそれがあって衛生面上で好ましくなく、また下端の開口面からも、虫が侵入したり、厨房の床掃除をした際の水の跳ね返りが侵入する弊害があるため、開口面についてはキャップにより全面を覆うことが好ましい。しかしながら開口面全面をキャップで覆おうとした場合に、センタシールの断面形状や配設位置等の条件にもよるが、キャップの形状が例えば、庫内と対向する側の縁部が張り出した形状、具体的には断熱扉の裏面における他の側縁に配されたパッキンの突出面付近まで張り出した形状となることがある。その場合、断熱扉を勢い良く閉じると、パッキンを弾縮しつつキャップの張出端部が貯蔵庫本体の前面開口部の上縁に当たり、キャップの取付部分等が損傷を受けるおそれがある。
そのためキャップの形状は、庫内と対向する側の縁部の張り出し量を抑えたものにせざるを得ず、そうするとセンタシールの端部の開口面を全面に亘って覆い切れない事態を招くことになる。
本発明は上記のような事情に基づいて完成されたものであって、その目的は、センタシールの内部や隣接部材との間にできた隙間に食材の滓や汚物等の異物が侵入することを長期間に亘って防止し、衛生的に優れた扉装置を提供するところにある。
【課題を解決するための手段】
【０００５】
本発明は、断熱製の貯蔵庫本体に設けられた前面開口部には、左右一対の断熱扉が観音開き式の揺動開閉可能に設けられ、前記各断熱扉の裏面における揺動支点側の側縁から上下両側縁に亘ってパッキンが配設されているとともに、前記各断熱扉の相手側と対向した側面の庫内側の角部付近には、閉扉時において互いに密着可能なセンタシールが保持部材を介して全高に亘って配設され、かつ、前記センタシールの内部、若しくは前記センタシールと同センタシールに隣接して配された隣接部材との間に、周りが閉じられた隙間が上下方向に貫通した形態で形成されるようになっており、前記保持部材の上下両端部の少なくともいずれか一方には、前記隙間の端部の開口を覆うべく合成樹脂製のキャップが装着され、前記キャップは、少なくとも一部に低剛性部を備えて形成されているところに特徴を有する。
【０００６】
キャップのうち、例えば閉扉時に対向する部材、部位と突き当たる可能性のある部分を低剛性部として形成することにより、閉扉時においてキャップ等が損傷を受けることを回避した上で、隙間の端部の開口を覆った状態に維持できる。センタシールの内部や、隣接部材との間にできる隙間に食材の滓や汚物等の異物が侵入することを長期間に亘って防止でき、衛生面上で優れたものとなる。
【０００７】
また、以下のような構成としてもよい。
（１）前記キャップは、前記貯蔵庫本体の前記前面開口部と対向した側の縁部と、相手の前記断熱扉と対向した側の縁部との少なくともいずれか一方が前記低剛性部とされ、それ以外の基部が高剛性部とされている。
上側のキャップにおける貯蔵庫本体の開口部や隣り合うキャップに突き当たる可能性のある縁部が低剛性部とされることで、仮に突き当たったとしても衝撃力が緩和され、一方、基部は高剛性部とされることで、保持部材に対して強固に取り付けることができる。
【０００８】
（２）前記キャップの前記低剛性部と前記高剛性部とは、それぞれ軟質樹脂と硬質樹脂とを素材とし、二色成形により一体成形されている。
（３）前記キャップの前記低剛性部と前記高剛性部とは、それぞれ軟質樹脂材と硬質樹脂材とにより予め別体に形成され、前記低剛性部と前記高剛性部とは結合手段を介して一体結合されている。
（４）前記キャップは一の合成樹脂材により形成され、薄肉とすることで前記低剛性部が、厚肉とすることで前記高剛性部がそれぞれ形成されている。
【発明の効果】
【０００９】
本発明の冷却貯蔵庫の扉装置によれば、センタシールの内部や、隣接部材との間にできる隙間に食材の滓や汚物等の異物が侵入することを長期間に亘って防止し、衛生的に優れたものとすることができる。
【図面の簡単な説明】
【００１０】
【図１】本発明の実施形態１に係る冷蔵庫の正面図
【図２】断熱扉の裏面側から視た一部切欠斜視図
【図３】センタシールの配設部分の平断面図
【図４】閉扉状態の部分平断面図
【図５】ヒータカバーの装着動作を示す斜視図
【図６】キャップの装着動作を示す斜視図
【図７】キャップの側面図
【図８】キャップの装着完了時の斜視図
【図９】同部分平面図
【図１０】閉扉状態の部分平面図
【図１１】実施形態２に係るキャップの斜視図
【図１２】裏面側から視た分解斜視図
【図１３】結合状態の裏面側から視た斜視図
【図１４】実施形態３に係るキャップの装着前の状態を示す斜視図
【図１５】キャップの装着完了時の図１４のＡ−Ａ線切断相当の断面図
【図１６】キャップの装着動作を示す断面図
【発明を実施するための形態】
【００１１】
＜実施形態１＞
本発明の実施形態１を図１ないし図１０に基づいて説明する。この実施形態では、ワイドスルー形式の横型冷蔵庫を例示している。
横型冷蔵庫の全体構造を図１によって説明する。冷蔵庫本体１０は、前面が開口された横長の断熱箱体によって形成され、底面に配された脚１１で支持されている。冷蔵庫本体１０の内部は貯蔵室１２とされ、出入口となる前面開口部１３には、左右一対の断熱扉１５が観音開き式の開閉可能に装着されている。一対の断熱扉１５は、それぞれ外側の縦縁の上下両端が、ヒンジ１６を介して縦軸回りの回動可能に支持されており、正面の上縁部における互いに隣接した端部に寄った位置に、開閉操作用の把手１７が設けられている。前面開口部１３には、同前面開口部１３を左右に仕切る縦向きの仕切枠が設けられておらず、センタピラーレスすなわちワイドスルー形式の扉装置が構成されている。
【００１２】
冷蔵庫本体１０の正面視左側面には機械室１８が設けられ、同機械室１８内には、貯蔵室１２から張り出し形成された形態の蒸発器室（図示せず）が収容されて同蒸発器室に蒸発器と庫内ファンとが装備されているとともに、蒸発器と接続されて冷凍サイクルを構成する冷凍装置が収容されている。
冷凍サイクルが駆動されることで蒸発器付近で冷気が生成され、同冷気が庫内ファンにより貯蔵室１２内に循環供給されることで、貯蔵室１２内が冷却されるようになっている。
【００１３】
扉装置は上記のようにワイドスルー形式であることから、閉扉時のシール構造は基本的には、前面開口部１３の口縁については、各断熱扉１５の裏面における揺動端側の縦縁を除いた他の３縁辺に装着されたパッキン３０（図２参照）が密着されることでシールされ、両断熱扉１５の揺動端側の縦縁の間については、同縦縁に沿って装着されたセンタシール４０同士が密着することでシールされるようになっている。両断熱扉１５が揃って開けられると、前面開口部１３が仕切りが無い状態で全開可能となる。
【００１４】
さらに断熱扉１５の構造、特にパッキン３０とセンタシール４０との配設部分の構造について詳細に説明する。
断熱扉１５は左右対称形状に形成されており、図２及び図３等に示すように、ステンレス鋼板等の金属製の外装板２１と、中央に膨出部２２Ａを設けた合成樹脂製の内装板２２とを組み付けることで外殻体２０が形成され、この外殻体２０内に、発泡樹脂等の断熱材（図示せず）が充填された構造となっている。断熱扉１５の裏面における薄肉となった周縁部には、方形状をなすパッキン装着溝２５が形成されている。
【００１５】
パッキン３０はマグネットパッキンであって、合成樹脂材の押出成形によって形成され、所定長さに切断されて使用される。パッキン３０は、図３に示すように、内部が複数の部屋に仕切られた筒状のパッキン本体３１の背面側に取付脚３３が突設されるとともに、表面側（同図の上側）における幅方向の略中央部に位置する第１マグネット室３２に、扁平な角柱状の第１マグネット３５が挿入されて形成されている。
パッキン３０は、上記した装着溝２５の４縁辺に対応して４本が準備され、各パッキン３０の両端は４５度に切断されている。４本のパッキン３０は、それぞれの取付脚３３を装着溝２５に嵌着しつつ、４縁辺の全周に亘って方形枠状の形態をなして装着されている（図２参照）。各パッキン本体３１における内側の面には複数枚のひれ部３６が張り出し形成され、内装板２２の膨出部２２Ａの側面に弾性的に密着されている。
【００１６】
センタシール４０は、図２及び図３に示すように、各断熱扉１５の揺動端側で相手と対向した側面（以後、対向側面１５Ａ）における庫内側の角部付近において、後記する保持部材５５を介して上下方向に延びた形態で装着されている。同センタシール４０は合成樹脂製であって押出成形により形成されており、断熱扉１５の全高よりも少し短い長さに切断されて使用される。
保持部材５５は合成樹脂製であって、詳しくは後記するが、センタシール４０と同寸法の長さを有し、その上下の端縁が、対向側面１５Ａの上下の端縁から同じ小寸法ずつ退避した形態で、対向側面１５Ａに取り付けられるようになっている。
【００１７】
センタシール４０は、庫外側（図３の下側）に開口した概ね門型断面をなすシール本体４１を有している。シール本体４１は軟質樹脂製であって、相手のシール本体４１と対向する側の辺部には、長方形断面をなす第２マグネット室４２が形成され、扁平な角柱状の第２マグネット４３が挿入されている。
シール本体４１における反対側の辺部４４は、隣接して配された縦向きのパッキン３０の側面に密着されている。同辺部４４は庫外側の端部が第２マグネット室４２側に屈曲され、その屈曲端に、硬質樹脂製の帯状をなす第１脚部４５が形成されている。
上記した第２マグネット室４２の外面（相手との対向面）における庫外側の端部からは、所定幅を持った脚片４７が庫外側に向けて張り出した形態で形成されている。同脚片４７の庫外側の端部は内側に屈曲され、その屈曲端に、硬質樹脂からなるやや厚肉の帯状をなす第２脚部４８が形成されている。
【００１８】
シール本体４１の庫内側（図３の上側）の面における揺動端側の縦向きのパッキン３０に近接した端部位置からは、冷気遮断用のリップ部５０が突出形成されている。各リップ部５０は、庫内側に向けて突出したのち、先端部が相手側に向けて鋭角（例えば７５°）に屈曲された形状となっている。リップ部５０は閉扉時には、図４に示すように、先端部同士が重畳可能となっている。
また、シール本体４１の庫内側の面における同端部位置からは、別のひれ部５２が張り出し形成されている。同ひれ部５２の張り出し端部側は、揺動端側の縦向きのパッキン３０（上下両縁に配された横向きのパッキン３０の端部を含む）における第１マグネット室３２の庫内側の面に重なって密着されるようになっている。
【００１９】
センタシール４０が装着される保持部材５５は、上記のようにセンタシール４０と同じ長さ寸法を有しており、対向側面１５Ａに固定されるベース６０と、同ベース６０の表面側に間隔を開けて被着されるスライド蓋７０とから構成されている。
ベース６０は、上下方向に亘る複数箇所（例えば２箇所）において、ねじ６１で止められて対向側面１５Ａに固定されるようになっている。
【００２０】
ベース６０における庫内側の側縁部には、ヒータ保持部６４が全高に亘って形成されており、同ヒータ保持部６４には、ヒータ６３を緊密に嵌める嵌合溝６５が、やや幅狭とされた入口を相手側に向けて開口した形態で形成されている。ヒータ６３は、嵌合溝６５に対して入口から径方向に嵌められ、図５に示すように、ヒータ６３の上下両端部が、ヒータ保持部６４の上面または下面を通ってヒータ保持部６４の庫外側に回曲され（回曲部６３Ａ）、ヒータ６３の上下両端部に接続されたリード線（図示せず）が、ベース６０の表面上で配線されるようになっている。
ヒータ保持部６４の庫内側の面からは、厚肉のリブ状をなす変形規制部６６が第２マグネット室４２の裏面に沿うように突出形成され、変形規制部６６の内部には、上記したセンタシール４０の第１脚部４５を挿通可能な断面Ｔ字形をなす挿通溝６６Ａが、第２マグネット室４２と対向する側とは反対側の面に開口した形態で全長に亘って形成されている。
【００２１】
保持部材５５のベース６０の表面側には、スライド蓋７０が着脱可能に装着されるようになっている。スライド蓋７０は、ベース６０と同じ長さとほぼ同幅を有する帯状をなし、かつ庫外側の端縁部が斜めに屈曲されている（傾斜部７０Ａ）。
スライド蓋７０の裏面（ベース６０と対向する面）のほぼ中央幅位置には、長方形断面をなすガイド筒部７２が張り出し形成されており、ガイド筒部７２内には、上記したセンタシール４０に設けられた第２脚部４８が、切割溝７３を通って摺動可能に挿通されるようになっている。
【００２２】
スライド蓋７０の裏面における傾斜部７０Ａと、ガイド筒部７２の庫内側の位置には、それぞれベース６０の庫外側の側縁と、嵌合溝６５の入口の側壁とに設けられた掛止部６７を嵌めて掛止する掛止溝７５が全高に亘って形成されている。
スライド蓋７０は、両掛止溝７５にベース６０の両掛止部６７を嵌めて、上方または下方から掛止部６７に沿って摺動させることで、図３に示すように、ベース６０の表面側に所定間隔を開けて被着され、結果、扁平な略角筒形をなす保持部材５５が形成される。
【００２３】
改めると、ヒータ６３は嵌合溝６５に嵌められた上で、その上下両端部がヒータ保持部６４の上面または下面を通ってヒータ保持部６４の庫外側に回曲され、ヒータ６３の上下両端部に接続されたリード線が、保持部材５５内で配線される。両リード線は、保持部材５５内の中央高さ位置まで配線されたのち、図４に示すように、ベース６０に開口された導出口６８から断面扉１５内に埋設された配線管路２６を通って、所定の電源供給位置まで配線されるようになっている。
【００２４】
センタシール４０は、上記のように形成された扁平な略角筒形をなす保持部材５５に対してスライド装着される。センタシール４０は、第１脚部４５と第２脚部４８とを、それぞれベース６０の変形規制部６６の挿通溝６６Ａとスライド蓋７０のガイド筒部７２に嵌めて、例えば上方から変形規制部６６と、ガイド筒部７２に沿って摺動させることで、図３に示すように、概ね保持部材５５の庫内側の面に沿うようにして全高に亘って装着さる。このとき、シール本体４１が隣接して配されたパッキン３０の側面に密着され、またシール本体４１の隣接した縦向きのパッキン３０側の端部位置から張り出し形成されたひれ部５２が、同パッキン３０並びに上下の横向きのパッキン３０の端部に位置する第１マグネット室３２の庫内側の面に重なって密着される。それとともに、センタシール４０に設けられた第２マグネット室４２に、第２マグネット４３が例えば上方から挿通される。
【００２５】
保持部材５５に対してセンタシール４０がスライド装着されたのちは、図５に示すように、保持部材５５の上下両端の開口面に、ヒータ６３の上下両端部の回曲部６３Ａが臨むことになるため、同ヒータ６３の回曲部６３Ａを保護する等のために、ヒータカバー８０（以下、単にカバー８０）で覆われる。さらに、同カバー８０を覆うようにして、キャップ９０が装着されるようになっている（図６参照）。
【００２６】
カバー８０は合成樹脂製であって、図５及び図６に示すように、保持部材５５の上下の端面のうち、概ねヒータ６３の回曲部６３Ａの配設位置を覆うような下面開口の箱形をなす本体部８１を備えている。同本体部８１における外面（上面または下面）には、所定幅を持って断熱扉１５の上面または下面に沿って延びた取付板８２が形成されている。取付板８２には、その幅方向（庫内外方向）に長い長円形をなす座孔８４が、左右に２個並んで凹み形成され、各座孔８４の中央部に一回り小さい長孔からなるねじ８３の挿通孔８５が開口されている。
取付板８２の両側縁には、外面側に向けて突出長さが次第に大きくなった、いわゆるあり状をなすレール８６が形成されているとともに、同取付板８２の延出端縁には、ストッパリブ８７が全幅に亘って立ち上がり形成されている。また、取付板８２に２個並んで形成された座孔８４のうち、保持部材５５に近い側の座孔８４（図５の手前側）における手前側の縁辺には、係止孔８８が連なって突出した形態で形成されている。
【００２７】
次に、キャップ９０について説明する。キャップ９０は合成樹脂製であって、図６ないし図９に示すように、上記したカバー８０を、センタシール４０（保持部材５５を含む）の上下の端面並びに横向きのパッキン３０の端部を含んで覆うべく略方形の浅皿状に形成され、図６に示すように、断熱扉１５の対向側面１５Ａに向かうようにスライドさせつつ装着されるようになっている。キャップ９０は詳細には、庫内側の所定幅の縁部９２において、その上面が一段下がった段差状に形成されている。後記するように、キャップ９０が正規位置に装着された際には、図８及び図９に示すように、縁部９２の端縁が、パッキン３０の突出面の直ぐ手前の位置まで張り出して配される設定とされている。
【００２８】
キャップ９０の外面板９４（上面板または下面板）の裏面には、図７に示すように、カバー８０の取付板８２を挿通可能なガイド溝９５が装着方向に延びた形態で形成されており、同ガイド溝９５の両側面には、上記のあり状のレール８６が整合して嵌るようなあり溝状の嵌合溝９６が形成されている。
ガイド溝９５の奥縁にはカバー８０の取付板８２の延出端縁に設けられたストッパリブ８７が嵌って当たる係止縁９７が、切り欠き形成されている。
また、ガイド溝９５の溝底には、キャップ９０がストッパリブ８７に当たる正規位置まで押し込まれた場合に、カバー８０の取付板８２に形成された係止孔８８に嵌って係止する係止突部９８が形成されている。
【００２９】
ここでキャップ９０は二色成形により形成されており、詳細には一段下がった縁部９２（図７，図９及び図１０ではドットを付して図示）が軟質樹脂により形成され、残りの部分（以下、基部９１という）が硬質樹脂により形成されている。キャップ９０の基部９１が本発明の高剛性部に、縁部９２が同低剛性部にそれぞれ相当する。
【００３０】
カバー８０とキャップ９０の装着手順を説明すると、以下のとおりである。断熱扉１５を製造する工程の終盤において、図５に示すように、保持部材５５に対してセンタシール４０がスライド装着されたら、保持部材５５の上下の開口面にカバー８０が装着される。具体的には、カバー８０の本体部８１がヒータ６３の回曲部６３Ａを内部に収めつつ保持部材５５の上下の開口面を覆うとともに、取付板８２が断熱扉１５の上面または下面の端部に当てられる。その状態から、取付板８２の２つの挿通孔８５にそれぞれねじ８３を通して、断熱扉１５の上面または下面のねじ孔８５Ａにねじ込むことで、図６に示すように、カバー８０が固定される。
【００３１】
続いてキャップ９０が、カバー８０、センタシール４０（保持部材５５を含む）の開口面を覆うようにして装着される。詳細には、キャップ９０の裏面のガイド溝９５がカバー８０の取付板８２に合わせられて、キャップ９０が、図６に示すように、断熱扉１５の対向側面１５Ａに向かうようにスライドしつつ押し込まれる。キャップ９０の外面板９４の係止縁９７が、カバー８０の取付板８２の奥縁のストッパリブ８７に当たったところで押し込みが停止され、このときキャップ９０の外面板９４の裏面の係止突部９８が、取付板８２の係止孔８８に嵌って係止されることで、図８及び図９に示すように、キャップ９０がカバー８０等を覆った状態において、抜け止めされて装着される。
【００３２】
ここで、キャップ９０は、庫内側の縁部９２が庫内側に向けて張り出して形成されていることにより、センタシール４０の上下の開口面を塞いでおり、特に図３に示すひれ部５２の裏側の隙間Ｓをも塞いでおり、かつ、同縁部９２が軟質樹脂材により低剛性に形成されているところに意義がある。
【００３３】
本実施形態の扉装置は以上のような構造であって、左右の断熱扉１５が閉じられると、各断熱扉１５の庫内側の面に装着されたパッキン３０、より詳細には、揺動支点側の縦縁に配された縦向きのパッキン３０と、上下の横縁に配された横向きのパッキン３０とが、貯蔵室１２の前面開口部１３の口縁の全周に亘って密着する。
一方、左右の断熱扉１５の揺動端側の間では、図４及び図１０に示すように、左右のセンタシール４０の第２マグネット室４２同士が、シール本体４１の辺部４４と、第２脚部４８を先端に設けた脚片４７を弾性変形させつつ、磁気吸引力により密着することによりシールされる。ひれ部５２は、その張り出し端部がパッキン３０における第１マグネット室３２の庫内側の面上でずれるものの、なお重なった状態に維持される。
【００３４】
上記の閉扉状態においても、図１０に示すように、キャップ９０が、庫内側の縁部９２が延出された形状とされていることで、ひれ部５２の裏側の隙間Ｓ（図３参照）が依然として塞がれた状態に維持される。したがって、閉扉状態と開扉状態の何れにおいても、ひれ部５２の裏側の隙間Ｓにおける上下の開口が共にキャップ９０により塞がれ、同隙間Ｓに対して食材の滓や汚物等が侵入したり、さらには、虫が侵入したり、厨房の床掃除をした際の水の跳ね返りが侵入することが防止される。
【００３５】
一方、キャップ９０の形状が、庫内側の縁部９２がパッキン３０の突出面付近まで張り出した形状となっていると、断熱扉１５を勢い良く閉じた場合等に、パッキン３０を弾縮しつつキャップ９０の縁部９２が冷蔵庫本体１０の前面開口部１３の上縁や下縁に当たる可能性があるが、同縁部９２は軟質樹脂材で形成されて剛性の低いものとされているから、前面開口部１３に当たった場合も衝撃を受けることが避けられる。そのため、キャップ９０のカバー８０に対する取付部分、例えば、嵌合溝９６とレール８６の嵌合部分、係止縁９７とストッパリブ８７の嵌合部分、係止突部９８と係止孔８８の嵌合部分等で損傷を受けることが防止される。
結果、センタシール４０の裏側へ食材の滓や汚物等の異物が侵入することを長期間に亘って防止でき、衛生面上で優れたものとなる。
【００３６】
なお、閉扉時においては、既述したように、左右のセンタシール４０の第２マグネット室４２同士が、脚片４７を斜め姿勢に弾性変形させつつ密着されるのであるから、図１０に示すように、閉扉時に限っては脚片４７の裏側に隙間ｓができる。通常、閉じられた断熱扉１５は、図１に示すように、冷蔵庫本体１０の正面の上縁に張り出して形成された庇１９の下方に収まるから、上記の隙間ｓから食材の滓や汚物等が侵入する可能性は小さいと言える。
しかしながら、侵入の可能性が全く無いとは言えないから、その防止対策として、閉扉時にできる脚片４７の裏側の隙間ｓも塞げるように、キャップ９０における隣り合うキャップ９０と対向した側の側縁部９９を張り出した形状とし、かつ、キャップ９０同士の干渉に伴う衝撃を緩和するために、同側縁部９９を軟質樹脂材で形成して低剛性とすることが有効である。
【００３７】
＜実施形態２＞
本発明の実施形態２を図１１ないし図１３によって説明する。この実施形態２では、キャップ１００の形状に変更が加えられている。以下では、実施形態１のキャップ９０との相違点を主に説明し、実施形態１と同一機能を有する部材、部位については、同一符号を付すことにより重複した説明は省略しまたは簡略化する。
本実施形態のキャップ１００は、外形を含む基本的な形状は、実施形態１のキャップ９０と同様であるが、図１２に示すように、縁部１０２と基部１０１とが段差壁１０３で分断された形態となって、縁部１０２が軟質樹脂材により、基部１０１が硬質樹脂材により予め別体に形成され、結合手段を介して一体結合されている。
【００３８】
結合手段としては、同図１２に示すように、縁部１０２の分断面１０３Ａから、短寸幅広の結合板１０５が突出形成され、同結合板１０５の先端に直角曲げされた係止部１０６が形成されている。一方、基部１０１側では、分断面１０３Ｂから外面板９４の裏面に亘って、結合板１０５が挿通される挿通溝１０７が形成され、同挿通溝１０７の奥端に、係止部１０６が嵌る係止溝１０８が形成されている。また、分断面１０３Ｂに形成された挿通溝１０７の図示上辺には、挿通溝１０７よりも幅狭の導入溝１０９が分断面１０３Ｂの上縁に開口して形成されている。
【００３９】
基部１０１に対して縁部１０２を組み付ける場合は例えば、図１２の状態から、結合板１０５を斜め姿勢として導入溝１０９を通しつつ、同結合板１０５の一方の側縁を挿通溝１０７の一方の側縁に当て、続いて結合板１０５が低剛性であることを利用して変形させつつ、他方の側縁を導入溝１０９を越えて挿通溝１０７に沿わせ、併せて係止部１０６を係止溝１０８に嵌める。これにより、図１３に示すように、基部１０１と縁部１０２とは、分断面１０３Ｂ，１０３Ａ同士を接合させた形態で一体結合される。
【００４０】
キャップ１００自体の機能と、同キャップ１００が装着されることによってもたらされる効果は、上記実施形態１と同様である。
実施形態１に例示した二色成形でキャップ９０を製造する場合と比べて、本実施形態のキャップ１００の方が安価に製造し得る。
【００４１】
＜実施形態３＞
本発明の実施形態３を図１４ないし図１６によって説明する。この実施形態３では、キャップ１１０の形状並びにその装着構造に変更が加えられている。
以下では、実施形態１との相違点を主に説明し、実施形態１と同一機能を有する部材、部位については、同一符号を付すことにより重複した説明は省略しまたは簡略化する。
実施形態３のキャップ１１０は、カバー８０Ｘ等を覆って装着されることは同様であるが、実施形態１のスライド形式に代わって、嵌合形式の装着構造を採用している。そのためまず、カバー８０Ｘは、実施形態１で示したストッパリブ８７と係止孔８８とを備えない形状とされている。
【００４２】
キャップ１１０の外形形状は、実施形態１のキャップ９０と同様に、カバー８０Ｘを、センタシール４０（保持部材５５を含む）の上下の端面並びに横向きのパッキン３０を覆うべく略方形の浅皿状をなし、庫内側の所定幅の縁部１１２において、その上面が一段下がった段差状に形成されている。一段下がった縁部１１２の端縁は、図１５に示すように、パッキン３０の突出面よりも少し内側に控えた位置まで張り出す設定となっている。
キャップ１１０は、一種類の合成樹脂材で形成されているが、基部１１１が厚肉に形成されて高剛性を有しているのに対して、縁部１１２は基部の１／３程度の薄肉に形成され、低剛性とされている。
【００４３】
キャップ１１０の装着構造としては、同図１５に示すように、外面板９４（上面板または下面板）の裏面において、カバー８０Ｘの本体部８１Ｘの上面から取付板８２に亘って嵌合可能な嵌合凹部１１４が左右方向に延びた形態で形成されており、同嵌合凹部１１４の前後両側面（庫内側と庫外側の側面）には、本体部８１Ｘの上面から取付板８２に亘る側縁に形成されたあり状のレール８６が整合して嵌るような、あり溝状の係止溝１１５Ａ，１１５Ｂが形成されているに留められている。
【００４４】
キャップ１１０を装着する場合は、図１６に示すように、縁部１１２でパッキン３０の上面を覆いつつ、裏面の庫内側の係止溝１１５Ａを、カバー８０Ｘの庫内側のレール８６に嵌め、続いて、同図の矢線ａに示すように、キャップ１１０の外面板９４を庫外側の縁部が反り返るように変形させたのち、同図の矢線ｂに示すように、庫外側の縁部をカバー８０Ｘに接近させて、庫外側の係止溝１１５Ａを、カバー８０Ｘの庫外側のレール８６に嵌める（図１５）。
これによりキャップ１１０の装着が完了し、同図に示すように、庫内側の低剛性の縁部１１２がパッキン３０の突出面までを覆った上で、カバー８０Ｘ並びにセンタシール４０（保持部材５５を含む）の端面を覆った形態となる。係止部分である係止溝１１５Ａ，１１５Ｂの溝壁は高剛性であるから、強固な取付構造が担保される。
【００４５】
実施形態３のキャップ１１０を装着した場合、実施形態１と同様に、センタシール４０の内側の隙間Ｓが塞がれ、なおかつ閉扉時の衝撃力の緩和に有効となる。
実施形態１のキャップ９０は、スライド装着形式であったために、カバー８０の一部（ストッパリブ８７）が露出せざるを得なかったが、実施形態３のキャップ１１０は表面側からの嵌合装着形式を採用したから、カバー８０Ｘを完全に隠すことが可能となり、外観が向上する。
【００４６】
＜他の実施形態＞
本発明は上記記述及び図面によって説明した実施形態に限定されるものではなく、例えば次のような実施形態も本発明の技術的範囲に含まれる。
（１）ヒータカバーが備えられておらず、センタシール（保持部材を含む）の上下の端面を覆うことのみに機能するキャップについても、本発明は同様に適用可能である。
（２）上記実施形態では、上下共に張り出された縁部を備えた形状のキャップを装着した場合を例示したが、冷却貯蔵庫の設置場所等の条件によっては、係る形状のキャップを上下いずれか一方のみに装着し、他方については従前どおりに縁部が控えた形状のキャップを適用するようにしてもよい。
（３）実施形態２のキャップにおける基部と縁部とを結合する手段は、例示した以外の他の手段であってもよい。
【００４７】
（４）実施形態３におけるキャップの係止位置は、例示した前後（庫内側と庫外側）の両端位置に限らず、左右両端位置であってもよい。さらに、前後左右の四縁すべてであってもよい。
（５）実施形態２，３のキャップにおいても、隣り合うキャップと対向した側の側縁部を張り出した形状とし、かつ同側縁部を低剛性とするようにしてもよい。
（６）センタシールの形状は上記実施形態に例示したものに限らず、完全な筒状等、他の形状であってもよい。要は、センタシール自身の内部、若しくは隣接して配された隣接部材との間に、周りが閉じられた隙間が上下方向に貫通した形態で形成されるようなもの全般について、本発明は同様に適用可能である。
（７）本発明は、上記実施形態に例示した２ドア式の横型冷蔵庫に限らず、例えば４ドア式の縦型冷蔵庫等のドア数の異なる冷蔵庫や、その他に冷凍庫や冷凍冷蔵庫等、要は、ワイドスルー式の扉装置を備えた冷却貯蔵庫全般に広く適用することができる。
【符号の説明】
【００４８】
１０…冷蔵庫本体（貯蔵庫本体）
１３…前面開口部
１５…断熱扉
１５Ａ…対向側面
３０…パッキン（隣接部材）
４０…センタシール
５５…保持部材
９０…キャップ
９１…基部（高剛性部）
９２…縁部（低剛性部）
１００…キャップ
１０１…基部（高剛性部）
１０２…縁部（低剛性部）
１０５…結合板（結合手段）
１０７…挿通溝（結合手段）
１１０…キャップ
１１１…基部（高剛性部）
１１２…縁部（低剛性部）
Ｓ…隙間
【図１】
0006377989.tif 000002
【図２】
0006377989.tif 000003
【図３】
0006377989.tif 000004
【図４】
0006377989.tif 000005
【図５】
0006377989.tif 000006
【図６】
0006377989.tif 000007
【図７】
0006377989.tif 000008
【図８】
0006377989.tif 000009
【図９】
0006377989.tif 000010
【図１０】
0006377989.tif 000011
【図１１】
0006377989.tif 000012
【図１２】
0006377989.tif 000013
【図１３】
0006377989.tif 000014
【図１４】
0006377989.tif 000015
【図１５】
0006377989.tif 000016
【図１６】
0006377989.tif 000017